(57)【要約】本発明はつまようじや串及び綿棒用のマルチ収納ケースに関するもので、つまようじや串及び綿棒が一緒に収納されて、容易に取り出して使えるものである。つまり、本発明は円筒型に成っていて、つまようじや串及び綿棒が直立収納される収納胴体と、上記収納胴体の外部を被せるように結合して回転自在に形成されるカバー胴体とで構成され、上記収納胴体とカバー胴体につまようじや串及び綿棒を選択取出しすることができる取出開口手段が備えられているものである。したがって、本発明はつまようじや串及び綿棒を直立させて分別収納することができるし、カバー胴体の回転によってつまようじや串及び綿棒を選択取出しすることが出来るので、機能性や利便性が向上するものである。【選択図】図１
2015507583.tif 000002
【特許請求の範囲】
【請求項１】
つまようじや串及び綿棒を分別収納して、選択取出して使えるようにする、つまようじや串及び綿棒用マルチ収納ケースを備え、
上記つまようじ（１１）や串（１３）及び綿棒（１２）の収納ケースは円筒型に成り、つまようじや串及び綿棒を分別して直立収納することができるように収納胴体（１１０）と、上記収納胴体（１１０）の上部に回転自在に被って結合されるカバー胴体（１２０）と、上記収納胴体（１１０）に収納されているつまようじ（１１）と串（１３）及び綿棒（１２）をカバー胴体（１２０）の回転によって選択取出することができるようにする取出開口手段とで構成されるとこを特徴とする
つまようじや串及び綿棒用マルチ収納ケース。
【請求項２】
上記収納胴体（１１０）は、上部が開放される円筒型として形成され、その内部につまようじ（１１）や串（１３）及び綿棒（１２）を分別して直立収容することができるように、分別壁体（１１４）によって区切る二つ以上の直立収納部（１１１）を形成し、
上記カバー胴体（１２０）は下部が開放され、収納胴体（１１０）に結合できるように円筒型に形成され、
上記取出開口手段は、収納胴体（１１０）の直立収納部（１１１）の円筒壁体（１１４）を、収納されているつまようじ（１１）や綿棒（１２）を取出すことができるように開口形成している収納開口（１１２）と、カバー胴体（１２０）の側壁に、上記収納開口と一致させる状態で直立収納部（１１１）のつまようじ（１１）や串（１３）及び綿棒（１２）を取出すことができるように開口している取出開口（１２１）とで構成し、
上記収納胴体（１１０）の収納開口（１１２）は、収納胴体（１１０）の下部から収納開口（１１２）の下端までの高さが、収納されるつまようじや串及び綿棒の長さの１／３以下にして実施し、上記カバー胴体（１２０）の取出開口（１２１）は収納胴体（１１０）の下部から取出開口（１２１）下端までの高さは、収納されるつまようじ及び綿棒（１２）の１／２〜１／３以下に形成し、上記取出開口（１２１）の下端は、傾いて取出されるつまようじ（１１）及び綿棒（１２）が中央の方に集中されるように「Ｖ」字形に凹んでいる集中誘導弧形部（１２１ａ）を形成し、
上記収納胴体（１１０）の直立収納部（１１１）の底面は、収納されているつまようじ（１１）や串（１３）及び綿棒（１２）が外側に傾いて楽に取出されるように、収納胴体（１１０）の中心の方へ上向傾斜で形成されることを特徴とする
請求項１記載のつまようじや串及び綿棒用マルチ収納ケース。
【請求項３】
上記収納胴体（１１０）の上部には、結合されているカバー胴体（１２０）が分離されることを防ぐたに拘束する凸部（１３１）を形成し、上記凸部（１３１）に対応するカバー胴体（１２０）の内面には、外側に凹んでいる回転結束凹部（１３２）を形成することを特徴とする
請求項２記載のつまようじや串及び綿棒用マルチ収納ケース。
【発明の詳細な説明】
【技術分野】
【０００１】
本発明はつまようじや串及び綿棒用マルチ収納ケースに関するもので、詳しくはつまようじや串及び綿棒を収納して、カバー胴体の回転によって側面から選択開口によって排出できるように構成している、つまようじや串及び綿棒用マルチケースを備え、つまようじや串及び綿棒を一緒に収納して容易に取り出して使えるようにすることをその目的とする。
【背景技術】
【０００２】
一般的につまようじは、紙で包装されたものを収納引出しのケースに保管してから必要の場合は取り出して使ったり、上部のフタが開けられる円筒ケースに収納してから後でそのフタを開けて取り出して使用されている。
【０００３】
また、綿棒は円筒型のケースに収納してから、上部のフタに排出孔を形成し、必要の場合は上記排出孔から綿棒を取り出して使っている。
【０００４】
しかし、上述するような従来のつまようじや串及び綿棒用マルチ収納ケースは、一つのケースに綿棒とつまようじを共に収納することができなくて、その排出のためには一回の引出し作業ではなく、ケースを振って排出する、またはフタを開けて排出するなど、その使い方が不便になる問題があった。
【発明の概要】
【発明が解決しようとする課題】
【０００５】
それで、本発明は上述するような従来のつまようじや串及び綿棒を一つのケースに一緒に収納して使用することができないことと、取出し作業が不便になる問題を解決しようとするのである。
【課題を解決するための手段】
【０００６】
即ち、本発明は円筒型に成り、つまようじや串及び綿棒を直立収納することができる収納胴体と、上記収納胴体の外部を被せるように結合して回転自在に形成されるカバー胴体とで構成され、上記収納胴体とカバー胴体にはつまようじや串及び綿棒を選択取出すようにする取出開口手段が備えられているものである。
【発明の効果】
【０００７】
従って、本発明はつまようじや串及び綿棒を直立して分別収納し、カバー胴体の回転によってつまようじや串及び綿棒を選択取出することができるので、その機能性や利便性が向上する。
【図面の簡単な説明】
【０００８】
【図１】本発明による一実施例を示す分解斜視図。
【図２】本発明による一実施例を示す斜視図。
【図３】本発明による一実施例を示す平面図。
【図４】本発明による一実施例を示す側断面図。
【図５】本発明による他実施例を示す側断面図。
【図６】本発明による取出開口手段の拡大図。
【発明を実施するための形態】
【０００９】
以下、添付の図面によって詳しく説明する。
【００１０】
本発明はつまようじや串及び綿棒を一緒に収納してその機能性を高め、カバー胴体の回転によってつまようじや串及び綿棒が選択取出されるようにして、その利便性を向上されるのである。
【００１１】
つまり、本発明はつまようじや串及び綿棒を分別収納して、選択取出して使えるようにした、つまようじや串及び綿棒用マルチ収納ケースを備えるのである。
【００１２】
ここで、第１図と第２図に示すように、上記つまようじ（１１）や串（１３）及び綿棒（１２）の収納ケースは円筒型に成り、つまようじや串及び綿棒を分別して直立収納することができる収納胴体（１１０）と、上記収納胴体（１１０）の上部に回転自在に被って結合されるカバー胴体（１２０）と、上記収納胴体（１１０）に収納されているつまようじ（１１）や綿棒（１２）をカバー胴体（１２０）の回転によって選択取出することのできる取出開口手段とで構成されている。
【００１３】
上記収納胴体（１１０）は第３図と第４図で示すように、上部が開放される円筒型として形成され、その内部につまようじ（１１）や串（１３）及び綿棒（１２）を分別して直立収容することができるように、分別壁体（１１４）によって区切る二つ以上の直立収納部（１１１）を形成している。
【００１４】
上記カバー胴体（１２０）は下部が開放され、収納胴体（１１０）に結合できるように円筒型に形成されている。
【００１５】
上記取出開口手段は、収納胴体（１１０）の直立収納部（１１１）の円筒壁体（１１４）を、収納されているつまようじ（１１）や綿棒（１２）を取出すことができるように開口形成している収納開口（１１２）と、カバー胴体（１２０）の側壁に、上記収納開口と一致させる状態で直立収納部（１１１）のつまようじ（１１）や串（１３）及び綿棒（１２）を取出すことができるように開口している取出開口（１２１）とで構成されている。
【００１６】
上記収納胴体（１１０）の収納開口（１１２）は、収納胴体（１１０）の下部から収納開口（１１２）の下端までの高さが、収納されるつまようじや串及び綿棒の長さの１／３以下にして実施し、上記カバー胴体（１２０）の取出開口（１２１）は収納胴体（１１０）の下部から取出開口（１２１）下端までの高さは、収納されるつまようじ及び綿棒（１２）の１／２〜１／３以下に形成し、上記取出開口（１２１）の下端は、第６図で示すように傾いて取出されるつまようじ（１１）及び綿棒（１２）が中央の方に集中されるように「Ｖ」字形に凹んでいる集中誘導弧形部（１２１ａ）を形成して実施することができる。
【００１７】
一方、上記収納胴体（１１０）の直立収納部（１１１）の底面は、第５図で示すように、収納されているつまようじ（１１）や串（１３）及び綿棒（１２）が外側に傾いて楽に取出されるように、収納胴体（１１０）の中心の方へ上向傾斜で実施することが望ましい。
【００１８】
また、上記収納胴体（１１０）の上部には結合されているカバー胴体（１２０）が分離されることを防ぐために拘束する凸部（１３１）を形成し、上記凸部（１３１）に対応するカバー胴体（１２０）の内面には、外側に凹んでいる回転結束凹部（１３２）を形成して実施することができる。
【００１９】
以下、本発明の動作過程について説明する。
【００２０】
上述するように、つまようじや串及び綿棒を分別収納して、選択取出して使えるようにする、つまようじや串及び綿棒用マルチ収納ケースを備え、上記つまようじ（１１）や串（１３）及び綿棒（１２）の収納ケースは円筒型に成り、つまようじや串及び綿棒を分別して直立収納することができるように収納胴体（１１０）と、上記収納胴体（１１０）の上部に回転自在に被って結合されるカバー胴体（１２０）と、上記収納胴体（１１０）に収納されているつまようじ（１１）や串（１３）及び綿棒（１２）をカバー胴体（１２０）の回転によって選択取出することができるようにする取出開口手段で構成される本発明を適用して実施したら、一つのケースにつまようじ（１１）や串（１３）及び綿棒（１２）を共に入れて使えるので、その機能性か向上するのである。
【００２１】
また、取出開口手段から取出されるつまようじ（１１）や串（１３）及び（１２）が取出される場合、集中誘導弧形部（１２１ａ）によってすぐ傾いて、その取出しが容易になる。
【産業上の利用可能性】
【００２２】
従って、本発明はつまようじや串及び綿棒を直立させて分別収納し、カバー胴体の回転によってつまようじや串及び綿棒を選択引出しるすことができるので、その機能性と利便性が向上されるのである。
【図１】
2015507583.tif 000003
【図２】
2015507583.tif 000004
【図３】
2015507583.tif 000005
【図４】
2015507583.tif 000006
【図５】
2015507583.tif 000007
【図６】
2015507583.tif 000008
【国際調査報告】
2015507583.tif 000009
2015507583.tif 000010
2015507583.tif 000011
2015507583.tif 000012